(57)【要約】【課題】摩耗等に対して、大掛かりな工事が不要で容易に交換作業を行うことができ、維持、管理のコストを低減することができる地下構造物用蓋を提供する。【解決手段】地下構造物用蓋１は、蓋本体３と、蓋本体３を開閉可能に支持する受枠とを備えている。蓋本体３は、受枠に取付けられるベース部１１と、このベース部１１に着脱可能なプレート部１３とからなる分割構造であり、ベース部１１とプレート部１３とは、ボルト１５によって結合されている。プレート部１３の表面の突起２１が摩耗した場合、ボルト１５を取外して、プレート部１３を裏返してベース部１１に取付ける。これにより、突起１３が摩耗した場合に、蓋本体３を交換することなく、プレート部１３のみを裏返して再使用、又は、交換することができるので、交換作業が容易で、大掛かりな工事が不要であり、メンテナンスの手間及びコストを大幅に削減することができる。【選択図】図３
2015175195.tif 000002
【特許請求の範囲】
【請求項１】
蓋本体と、該蓋本体を開閉可能に支持する受枠とを備えた地下構造物用蓋において、
前記蓋本体は、前記受枠に支持されるベース部と、前記ベース部の上面全体を覆うように該ベース部に着脱可能に取付けられ、外部に面する凹凸面が形成されたプレート部とを有することを特徴とする地下構造物用蓋。
【請求項２】
前記プレート部は、表裏両面に前記凹凸面が形成され、表裏のいずれの面を外部に面しても前記ベース部材に着脱可能であることを特徴とする請求項１に記載の地下構造物用蓋。
【請求項３】
前記ベース部と前記プレート部とは、前記ベース部に形成された位置決め凸部と前記プレート部に形成された位置決め凹部の凹凸嵌合により、位置決めされることを特徴とする請求項１又は２に記載の地下構造物用蓋。
【発明の詳細な説明】
【技術分野】
【０００１】
本発明は、地下構造物用蓋に関する。
【背景技術】
【０００２】
路面に設置されたマンホール蓋等の地下構造物用鉄蓋は、一般的に、路面に比べて摩擦係数が低いため、降雨等によって濡れた場合、車両のタイヤや歩行者の靴等が滑り易い状態となる。そこで、従来より、鉄蓋の表面に多数の突起、凹凸を形成して、摩擦抵抗を増やしてスリップを防止している（例えば、特許文献１参照）。
【先行技術文献】
【特許文献】
【０００３】
【特許文献１】特開２００９−２８１０８３号公報
【発明の概要】
【発明が解決しようとする課題】
【０００４】
上記従来の鉄蓋の表面に多数の突起、凹凸を形成した地下構造物用蓋では、長期の使用の間には、突起、凹凸が車両のタイヤ等との接触により摩耗して、摩擦抵抗が小さくなる。このため、従来は、鉄蓋の表面が摩耗した場合、鉄蓋を支持する受枠ごと交換していた。しかしながら、地下構造物から受枠を取外すために、アスファルト、コンクリート等を掘削する必要があり、交換に手間及び費用がかかる。また、交換用の鉄蓋及び受枠の製造コストもかかるという問題がある。
更に、地下構造物用蓋の交換作業は、昼間は交通量が多いため、夜間に行われることが多い。このため、住宅街での交換作業は、アスファルト、コンクリート等の掘削作業時の騒音が問題となり、近隣住民から苦情を受けることもある。
【０００５】
本発明は、上記の点に鑑みてなされたものであり、摩耗等に対して、大掛かりな工事が不要で容易に交換作業を行うことができ、維持、管理のコストを低減することができる地下構造物用蓋を提供することを目的とする。
【課題を解決するための手段】
【０００６】
上記の課題を解決するために、本発明に係る地下構造物用蓋は、蓋本体と、該蓋本体を開閉可能に支持する受枠とを備えた地下構造物用蓋において、
前記蓋本体は、前記受枠に支持されるベース部と、前記ベース部の上面全体を覆うように該ベース部に着脱可能に取付けられ、外部に面する凹凸面が形成されたプレート部とを有することを特徴とする。
【発明の効果】
【０００７】
本発明の地下構造物用蓋によれば、摩耗等に対して、大掛かりな工事が不要で容易に交換作業を行うことができ、維持、管理のコストを低減することができる。
【図面の簡単な説明】
【０００８】
【図１】本発明の一実施形態に係る地下構造物用蓋の平面図である。
【図２】図１に示す地下構造物用蓋の蓋本体が開いた状態を示す斜視図である。
【図３】図２に示す蓋本体のＡ−Ａ線に沿った断面図である。
【発明を実施するための形態】
【０００９】
以下、本発明の一実施形態を図１〜図３に基づいて詳細に説明する。
本発明の一実施形態に係る地下構造物用蓋の平面図を図１示し、蓋本体が開いた状態の斜視図を図２に示し、図２のＡ−Ａ線に沿った断面を図３に示す。
図１及び図２に示すように、地下構造物用蓋１は、マンホール等の一般的な地下構造物（図示せず）に設置されるものである。この地下構造物用蓋１は、円板状の蓋本体３と、この蓋本体３を支持する環状の受枠５と、この受枠５に対して蓋本体３を開閉可能に支持するヒンジ部７と、蓋本体３を閉位置で受枠５に固定するロック機構９とを備えている。
【００１０】
図３に示すように、蓋本体３は、略円板状で、受枠５に支持されるベース部１１と、このベース部１１に着脱可能なプレート部１３とからなる分割構造であり、ベース部１１とプレート部１３とは、ボルト１５によって結合されている。本実施形態では、ベース部１１及びプレート部１３は、従来の鉄蓋と同様、鋳鉄製であるが、アルミニウム合金等の他の材質としてもよい。
【００１１】
ベース部１１には、上面にプレート部１３を位置決めする複数の位置決め凸部１７が設けられている。ベース部１１の下面には、周縁部の一端側にヒンジ部７（図２参照）が設けられ、他端側にロック機構９が設けられている。また、ベース部１１には、ボルト１５を挿通するための複数の挿通穴１６が形成されている。ベース部１１の位置決め凸部１７は、円周方向に所定の間隔を置いて配置されている（図示の例では、９０°間隔で等配）。
【００１２】
プレート部１３は、表裏の両面に、スリップ防止用の多数の突起２１，２１（凹凸面）が形成されている。本実施形態では、突起２１，２１は、円周方向及び半径方向に沿って所定の間隔を置いて、幾何学的に配置されている。プレート部１３の表裏の両面には、ベース部１１の位置決め凸部１７に対向する位置に、これらと凹凸嵌合する位置決め凹部２３，２３が形成されている。
【００１３】
なお、ベース部１１の位置決め凸部１７，１７及びプレート部１３の位置決め凹部２３，２３は、円周方向に９０°間隔で配置されているが、これらは、適宜変更してもよい。また、プレート部１３の表裏の両面には、多数の突起２１を幾何学的に配置しているが、これらの形状及び配置は任意であり、他の凹凸模様、デザイン模様等にでき、更に、表裏で異なってもよく、表面のみに設けてもよい。
【００１４】
また、プレート部１３の表裏の両面には、ボルト１５を螺合するためのネジ穴３５が形成されている。プレート部１３の外周縁部には、受枠５からベース部１１のロックを解除する開閉工具（図示せず）を挿通するための鍵穴２５（切欠）が形成されている。また、ベース部１１の上面外縁には、段部２４が形成され、この段部２４に止水シール部材２６が嵌め込まれている。
【００１５】
止水シール部材２６は、ブチルゴム、クロロプレンゴム等の環状合成ゴム部材であり、ベース部１１の段部２４とプレート部１３との間をシールして、水、異物等の侵入を防ぎ、ベース部１１及びプレート部１３の錆、腐食等を防止するものである。ベース部１１とプレート部１３とは、本実施形態ではボルト１５によって結合しているが、他の着脱可能な結合手段によって結合してもよい。
【００１６】
受枠５は、蓋本体３が嵌合する鉄製の環状部材であり、一端部の外周にマンホール等の地下構造物に結合するためのフランジ部２７が形成され、内周部に蓋本体３のベース部１１を受けるフランジ状の支持部２８が形成されている。受枠５の内周部には、蓋本体３を開閉可能に支持するヒンジ部７が設けられ、このヒンジ部７の反対側に蓋本体３のロック機構９を掛止する掛止部（図示せず）が設けられている。
【００１７】
ロック機構９は、蓋本体３のベース部１１に設けられ、受枠５の掛止部に係合して枠本体３を閉位置でロックする。ロック機構９の解錠は、プレート部１３の鍵穴２５から開閉工具を挿入して、受枠５の掛止部との係合を解くことによって行う。
【００１８】
地下構造物用蓋１は、受枠５を地中に埋設されたマンホール等の地下構造物の上部に固定し、受枠５の周囲をアスファルト、コンクリート等で舗装して設置する。
【００１９】
次に、地下構造物用蓋１の使用方法について説明する。
長期間の使用によりプレート部１３の表面の突起２１が摩耗した場合、ボルト１５を取外して、プレート部１３をベース部１１から取外し、プレート部１３を裏返してボルト１５によって再度ベース部１１に取付ける。このとき、ベース部１１とプレート部１３とは、位置決め凸部１７と位置決め凹部２３との凹凸嵌合により、位置決めを行い、プレート部１３の表面が偏摩耗している場合でも、位置決め凹部２３の内部は摩耗しないので、ガタツキを防止して安定して結合することができる。そして、表裏の両面が摩耗したとき、プレート部１３のみを新品に交換する。
【００２０】
このように、本実施形態に係る地下構造物用蓋１は、突起２１が摩耗した場合に、蓋本体３を交換することなく、プレート部１３のみを裏返して再使用、又は、交換することができるので、交換作業が容易で、大掛かりな工事が不要であり、メンテナンスの手間及びコストを大幅に削減することができる。また、プレート部１３の交換作業は、ボルト１５の着脱のみによって行うことができるので、騒音の発生が問題となることがない。
【００２１】
なお、本実施形態では、ヒンジ部７及びロック機構９を備えた地下構造物用蓋１について説明しているが、本発明は、これらに限らず、ヒンジ部７及びロック機構９を有していないものにも同様に適用することができる。
【符号の説明】
【００２２】
１…地下構造物用蓋、３…蓋本体、５…受枠、１１…ベース部、１３…プレート部、１５…固定部材、２１…突起（凹凸面）
【図１】
2015175195.tif 000003
【図２】
2015175195.tif 000004
【図３】
2015175195.tif 000005